(57)【要約】【解決手段】上部フレーム１と、底部２と、上部フレームにその上端部が枢支されたはね上げ側壁３と、上部分割側壁４’と下部分割側壁４”とを有する分割側壁４とからなる折り畳みコンテナーにおいて、はね上げ側壁の上端フランジ３ａの上面に立設された板片３ｂ’に、係止水平軸ｓ１を取着するとともに、上部フレームに、係止板ｈ１を配設し、上部フレームとはね上げ側壁とがヒンジ連結された際には、はね上げ側壁に配設された前記係止水平軸の先端部が、上部フレームに配設された前記係止板の背後に位置するように構成したものである。【効果】折り畳まれた折り畳みコンテナーの略垂直に吊り下げられた状態の一方のはね上げ側壁に配設された一方のヒンジ部材が、上部フレームに配設されたもう一方のヒンジ部材から抜け出るようなことを防止することができる。【選択図】図５
2008018947.tif 000002
【特許請求の範囲】
【請求項１】
上部フレームと、底部と、上部フレームにその上端部が枢支されたはね上げ側壁と、上部分割側壁と下部分割側壁とを有する分割側壁とからなる折り畳みコンテナーにおいて、はね上げ側壁の上端フランジの上面に立設された板片に、係止水平軸が取着されているとともに、上部フレームに、係止板が配設されており、上部フレームとはね上げ側壁とがヒンジ連結された際には、はね上げ側壁に配設された前記係止水平軸の先端部が、上部フレームに配設された前記係止板の背後に位置するように構成されていることを特徴とする折り畳みコンテナー。
【請求項２】
はね上げ側壁が略垂直状態における係止水平軸の上面に、係止部材が形成されているとともに、上部フレームに、衝合板が配設されており、上部フレームとはね上げ側壁とがヒンジ連結された際には、はね上げ側壁に配設された前記係止部材が、上部フレームに配設された前記衝合板の背後に位置するように構成されていることを特徴とする請求項１に記載の折り畳みコンテナー。
【発明の詳細な説明】
【技術分野】
【０００１】
本発明は、種々の物品の保管、輸送或いは搬送等に使用される折り畳みコンテナーに関するものである。
【背景技術】
【０００２】
従来、上部フレームと、底部と、上部フレームの短辺部にその上部水平部がヒンジ連結された、折り畳みコンテナーの内側方向に回動可能な側壁（以下、この側壁を、はね上げ側壁という。）と、上部分割側壁と下部分割側壁とからなる分割側壁とを有するとともに、上部分割側壁の上部水平部が、上部フレームの長辺側にヒンジ連結され．また、上部分割側壁の下部水平部と下部分割側壁の上部水平部とが互いにヒンジ連結され、更に、下部分割側壁の下部水平部が、底部の長辺部にヒンジ連結されている折り畳みコンテナーがが知られている。
【０００３】
本出願人は、本出願人の先の出願である特許文献１において、上述した折り畳みコンテナーにおける上部フレームとはね上げ側壁とのヒンジ連結手段について提案した。
【０００４】
以下に、特許文献１に開示されている折り畳みコンテナーについて、図７〜図１２を用いて説明する。
【０００５】
折り畳みコンテナーは、上部フレーム１と、底部２と、上部フレーム１の長辺部にその上部水平部がヒンジ連結されたはね上げ側壁３と、上下に分割されているとともに、適当なヒンジ部を介して連結された分割側壁４とを有しており、分割側壁４は、ヒンジ部を挟んで上方に位置する上部分割側壁４’と、ヒンジ部を挟んで下方に位置する下部分割側壁４”とから構成されており、且つ、上部分割側壁４’の上部水平部が、上部フレーム１の長辺部にヒンジ連結されており、また、下部分割側壁４”の下端部が、底部２の長辺部にヒンジ連結されている。
【０００６】
図７に示されている箱型状態の折り畳みコンテナーの略垂直状のはね上げ側壁３を、折り畳みコンテナーの内部方向に回動させて、図８に示されているように、略水平状態とし、次いで、上部分割側壁４’と下部分割側壁４”を連結しているヒンジ部を、折り畳みコンテナーの内部方向に移動させて、上部分割側壁４’と下部分割側壁４”とを重ねることにより、箱型状態の折り畳みコンテナーを、図９に示されているように、高さの低いコンパクトな状態に折り畳むことができるように構成されている。また、底部２に対して上部フレーム１を持ち上げて、略水平状態に重ねられている上部分割側壁４’と下部分割側壁４”を、互いに略面一になるように略垂直に立て、次いで、上部フレーム１に、その上端部がヒンジ連結されているはね上げ側壁３を、略水平状態から垂直方向に回動させることにより、折り畳まれた状態の折り畳みコンテナーを、箱型に組み立てるように構成されている。
【０００７】
上部フレーム１は、外側壁部１ａと、外側壁部１ａの上端から水平方向内側に延在する天板部１ｂと、天板部１ｂの先端から下方に、且つ、外側壁部１ａに対して略平行に延在するとともに、外側壁部１ａより高さの低い内側壁部１ｃとにより、長手方向に直交する断面形状が略逆Ｕ字状に形成されている。
【０００８】
はね上げ側壁３がヒンジ連結される上部フレーム１の短辺枠１’には、外側壁部１ａと天板部１ｂと内側壁部１ｃにより囲まれた上部フレーム１内に配置されているとともに、その下端部が、内側壁部１ｃの下端を越えて下方に延在し、且つ、短辺枠１’の長手方向に直交する支持片５が形成されている。
【０００９】
短辺枠１’の外側壁部１ａには、水平板６ａが連接されており、水平板６ａの先端には、上方が開放された半筒状の軸受け部６ｂが形成されており、水平板６ａと軸受け部６ｂとにより、軸受け部材６が構成されている。軸受け部材６の長辺枠１”側に位置する側面は、上述した支持片５に連接されている。また、軸受け部材６は、短辺枠１’を構成する外側壁部１ａと内側壁部１ｃとの間に位置しているとともに、軸受け部材６を構成する軸受け部６ｂの先端上面６ｂ１と、内側壁部１ｃの下端１ｃ１との間には、後述するはね上げ側壁３に配設された水平軸が挿入可能な間隙が形成されている。
【００１０】
上部フレーム１の長辺枠１”の短辺枠１’側には、外側壁部１ａを凹ますことにより形成された凹部７が形成されており、凹部７の奥壁７ａは、内側壁部１ｃにより形成されている。この奥壁７ａには、透孔７ｂが形成されており、奥壁７ａの外壁面には、透孔７ｂの周囲を取り囲むように、コップ状のカバー８が取着されている。
【００１１】
はね上げ側壁３の上端フランジ３ａの上面には、上部が半円形状で、上端フランジ３ａの長手方向に直交する板片３ｂが、複数個、立設されている。板片３ｂには、板片３ｂの先端部から外側端面を経て上端フランジ３ａまで達する、略逆Ｊ字状の横長の端部壁３ｃが形成されている。所定の間隔を置いて配置された板片３ｂに形成された端部壁３ｃの一部を省略することにより、板片３ｂ間には、間隙Ｄが形成されている。このような間隙Ｄは、上述した上部フレーム１の短辺枠１’に形成された軸受け部材６に対応して、複数個、形成されている。本実施例においては、上部フレーム１の短辺枠１’に、２個の軸受け部材６が形成されているので、はね上げ側壁３にも、２個の間隙Ｄが形成されている。
【００１２】
はね上げ側壁３に形成された間隙Ｄを構成する、相対する板片３ｂのうち、端部壁３ｃの中央よりの板片３ｂには、片持ち状に水平軸９が突設されている。水平軸９の先端と水平軸９の先端と対向する板片３ｂとの間には、上述した上部フレーム１の短辺枠１’に形成された支持片５が挿通可能な間隙が形成されている。また、はね上げ側壁３の両側の垂直フランジ３ｄに面一になるように配置された、両端に位置する板片３ｂの外面には、端部水平軸１０が突設されている。
【００１３】
はね上げ側壁３の両端に位置する板片３ｂの外面に突設された端部水平軸１０を、上部フレーム１の長辺枠１”の短辺枠１’側に形成された奥壁７ａに穿設された透孔７ｂに嵌入するが、端部水平軸１０の奥壁７ａから突出した部分は、奥壁７ａの外壁面に取着されたコップ状のカバー８内に収容されることになる。また、はね上げ側壁３の相対する板片３ｂ間に形成された間隙Ｄには、上部フレーム１の短辺枠１’に形成された支持片５と軸受け部材６が挿入されるとともに、はね上げ側壁３に形成された間隙Ｄを構成相対する板片３ｂの一方の板片３ｂに突設された片持ち状の水平軸９が、上部フレーム１の短辺枠１’に形成された軸受け部材６の上方が開放された半筒状の軸受け部６ｂの凹部６ｂ２に収容されるように構成されている。この際、上部フレーム１の短辺枠１’に形成された支持片５は、はね上げ側壁３の水平軸９の先端と水平軸９の先端と対向する板片３ｂとの間に形成された間隙に挿入されることになる。このようにして、上部フレーム１の短辺枠１’に、はね上げ側壁３がヒンジ連結されるように構成されている。
【００１４】
１１は、上部フレーム１を構成する短辺枠１’の内側壁部１ｃの下端中央部に垂下された係止片である。折り畳みコンテナーが箱型に組み立てられ、はね上げ側壁３が略垂直状態において、上記係止片１１が、はね上げ側壁３の上端部に形成された略逆Ｊ字状の横長の端部壁３ｃの先端３ｃ１に、当接或いは実質的に当接するように構成されている。このように構成することにより、箱型に組み立てられた状態において、はね上げ側壁３が、上部フレーム１から外れることを防止するように構成されている。
【００１５】
【特許文献１】特開２００４−１６１３０１号公報
【発明の開示】
【発明が解決しようとする課題】
【００１６】
作業者が、折り畳まれた状態の折り畳みコンテナーの上部フレーム１の相対する短辺枠１’の一方を持って、垂直状態の折り畳まれた状態の折り畳みコンテナーを運搬することが行われるが、このように、折り畳まれた状態の折り畳みコンテナーを、垂直状態とした際には、上部フレーム１の短辺枠１’に形成された軸受け部材６の凹部６ｂ２に収容されている、はね上げ側壁３の水平軸９が、軸受け部材６の先端上面６ｂ１付近に引っ掛かった状態であるので、はね上げ側壁３の水平軸９が、上部フレーム１の短辺枠１’に形成された軸受け部材６の凹部６ｂ２から抜け出て、はね上げ側壁３が、上部フレーム１から外れるという問題があった。
【００１７】
また、折り畳まれた状態の折り畳みコンテナーを段積みした状態で、輸送や保管を行う場合に、外部からの衝撃や振動により、段積みされた折り畳みコンテナーが倒れることがあるが、倒れた際の衝撃により、はね上げ側壁が、上部フレームから外れるという問題があった。
【００１８】
本発明の目的は、上述した折り畳みコンテナーが有する課題を解決することにある。
【課題を解決するための手段】
【００１９】
本発明は、上述した目的を達成するために、上部フレームと、底部と、上部フレームにその上端部が枢支されたはね上げ側壁と、上部分割側壁と下部分割側壁とを有する分割側壁とからなる折り畳みコンテナーにおいて、第１には、はね上げ側壁の上端フランジの上面に立設された板片に、係止水平軸を取着するとともに、上部フレームに、係止板を配設し、上部フレームとはね上げ側壁とがヒンジ連結された際には、はね上げ側壁に配設された前記係止水平軸の先端部が、上部フレームに配設された前記係止板の背後に位置するように構成したものであり、第２には、はね上げ側壁が略垂直状態における係止水平軸の上面に、係止部材を形成するとともに、上部フレームに、衝合板を配設し、上部フレームとはね上げ側壁とがヒンジ連結された際には、はね上げ側壁に配設された前記係止部材が、上部フレームに配設された前記衝合板の背後に位置するように構成したものである。
【発明の効果】
【００２０】
はね上げ側壁の上端フランジの上面に立設された板片に、係止水平軸を取着するとともに、上部フレームに、係止板を配設し、上部フレームとはね上げ側壁とがヒンジ連結された際には、はね上げ側壁に配設された前記係止水平軸の先端部が、上部フレームに配設された前記係止板の背後に位置するように構成したので、折り畳まれた折り畳みコンテナーの略垂直に吊り下げられた状態の一方のはね上げ側壁に配設された一方のヒンジ部材が、上部フレームに配設されたもう一方のヒンジ部材から抜け出るようなことを防止することができ、従って、略垂直に吊り下げられた状態の一方のはね上げ側壁が、上部フレームから外れるようなことを防止することができる。
【００２１】
また、はね上げ側壁の上端フランジの上面に立設された板片に、係止水平軸を取着するとともに、上部フレームに、係止板を配設し、上部フレームとはね上げ側壁とがヒンジ連結された際には、はね上げ側壁に配設された前記係止水平軸の先端部が、上部フレームに配設された前記係止板の背後に位置するように構成したので、略垂直状態のはね上げ側壁の上部に、外側から負荷が加わった際には、はね上げ側壁に配設された上記の係止水平軸が、上部フレームに配設された係止板に当接することになるので、はね上げ側壁の内側方向への移動が阻止され、従って、はね上げ側壁と上部フレームとのヒンジ連結が解除されるようなことを防止することができるとともに、ヒンジ部材の損傷を防止することができる。
【００２２】
更に、はね上げ側壁の上端フランジの上面に立設された板片に、係止水平軸を取着するとともに、上部フレームに、係止板を配設し、上部フレームとはね上げ側壁とがヒンジ連結された際には、はね上げ側壁に配設された前記係止水平軸の先端部が、上部フレームに配設された前記係止板の背後に位置するように構成したので、折り畳まれた状態で段積みされた折り畳みコンテナーが倒れた際の衝撃により、はね上げ側壁と上部フレームとのヒンジ連結が解除されるようなことを防止することができる。
【００２３】
はね上げ側壁が略垂直状態における係止水平軸の上面に、係止部材を形成するとともに、上部フレームに、衝合板を配設し、上部フレームとはね上げ側壁とがヒンジ連結された際には、はね上げ側壁に配設された前記係止部材が、上部フレームに配設された前記衝合板の背後に位置するように構成したので、略垂直状態のはね上げ側壁の上部に、外側から負荷が加わった際には、はね上げ側壁に配設された係止部材が、上部フレームに配設された衝合板に当接することになるので、はね上げ側壁の内側方向への移動が阻止され、従って、はね上げ側壁と上部フレームとのヒンジ連結が解除されるようなことを防止することができるとともに、ヒンジ部材の損傷を防止することができる。
【発明を実施するための最良の形態】
【００２４】
以下に、本発明の実施例について説明するが、本発明の趣旨を越えない限り何ら、本実施例に限定されるものではない。なお、上述した折り畳みコンテナーと同じ構成部材については、同じ符号を使用するとともに、その詳細な説明は、省略する。
【００２５】
上述した折り畳みコンテナーと同様に、上部フレーム１とはね上げ側壁３をヒンジ連結するために、上部フレーム１の短辺枠１’に形成された軸受け部材６と該軸受け部材６の凹部６ｂ２に収容されるはね上げ側壁３の水平軸９とによるヒンジ連結手段が配設されているが、本発明の実施例においては、このようなヒンジ手段が、４箇所、配設されている例が示されている。また、上部フレーム１を構成する短辺枠１’の内側壁部１ｃの下端中央部に垂下された係止片１１や、はね上げ側壁３の両端に位置する板片３ｂの外面に突設された端部水平軸１０及び該端部水平軸１０が収容される、上部フレーム１に形成されたコップ状のカバー８は、配設されていない。
【００２６】
上述した、ヒンジ連結手段を構成する上部フレーム１の短辺枠１’に形成された軸受け部材６は、短辺枠１’の両端部付近に、それぞれ、１個ずつ形成されており、この軸受け部材６に収容される水平軸９は、はね上げ側壁３の端部壁３ｃの両端部付近に、それぞれ、１個ずつ形成されている。また、ヒンジ連結手段を構成する上部フレーム１の短辺枠１’の中央部には、所定の間隔を置いて、２個の軸受け部材６が形成されており、この軸受け部材６に収容される水平軸９が、はね上げ側壁３の端部壁３ｃの中央部に、所定の間隔を置いて、２個形成されている。以下においては、上部フレーム１の短辺枠１’の中央部に形成されている軸受け部材６を、中央部側軸受け部材と称し、符号６’を使用し、また、はね上げ側壁３の端部壁３ｃの中央部に形成されている水平軸９を、中央部側水平軸と称し、符号９’を使用する。
【００２７】
上部フレーム１に配設された中央部側軸受け部材６’が連接されている支持片５には、支持片５の内側（箱型に組み立てられた折り畳みコンテナーの内側に位置する）に位置する垂直端面５ａに沿って、支持片５の下端付近から上方に延在するとともに、上部フレーム１を構成する内側壁部１ｃの下端１ｃ１に連結された係止板ｈ１が形成されている。また、上部フレーム１の短辺枠１’を構成する内側壁部１ｃを下方に延在することにより、衝合板ｈ２が形成されており、衝合板ｈ２は、係止板ｈ１の中程まで延在しているとともに、衝合板ｈ２の一端は、係止板ｈ１に連結されているとともに、衝合板ｈ２の下部中央部を切り欠くことにより、衝合板ｈ２には、嵌合切り欠き部ｈ２ａが形成されている。なお、本実施例においては、係止板ｈ１が形成されている支持片５の側面５ｂと反対側に位置する側面５ｃに、中央部側軸受け部材６’が連接されている。
【００２８】
はね上げ側壁３に配設された中央部側水平軸９’と所定の間隙を置いて、且つ、中央部側水平軸９’と対向するように、係止水平軸ｓ１が配置されており、係止水平軸ｓ１は、中央部側水平軸９’が取着されている板片３ｂと所定の間隔を置いて形成されている板片３ｂ’に取着されている。はね上げ側壁３が略垂直状態における係止水平軸ｓ１の上面には、連結リブｓ２ａが立設されており、連結リブｓ２ａの上端には、係止ブロックｓ２ｂが連接されており、連結リブｓ２ａと係止ブロックｓ２ｂとにより、係止部材ｓ２が形成されている。係止部材ｓ２の連結リブｓ２ａ及び係止ブロックｓ２ｂの板片３ｂ’側の側面は、板片３ｂ’に連接されているとともに、係止ブロックｓ２ｂの上面ｓ２ｂ’は、板片３ｂ’の上端面板片３ｂ”と略面一になるように形成されている。
【００２９】
なお、ｓ３は、はね上げ側壁３が略垂直状態における係止水平軸ｓ１の下端面と上端フランジ３ａを連結するとともに、板片３ｂ’に連接された垂直補強リブであり、ｓ４は、はね上げ側壁３が略垂直状態における係止水平軸ｓ１の外側面（箱型に組み立てられた折り畳みコンテナーの外側に位置する面）に形成された水平補強リブであり、水平補強リブｓ４の一端は、板片３ｂ’に連接されている。なお、垂直補強リブｓ３や水平補強リブｓ４は、必要に応じて、省略することができる。
【００３０】
上部フレーム１の短辺枠１’に、はね上げ側壁３をヒンジ連結する場合には、先ず最初に、はね上げ側壁３に配設された水平軸９と上部フレーム１の短辺枠１’に配設された軸受け部材６とが対向するように、また、はね上げ側壁３に配設された中央部側水平軸９’と上部フレーム１の短辺枠１’に配設された中央部側軸受け部材６’とが対向するように、はね上げ側壁３と上部フレーム１とを配置する。このように配置した後に、はね上げ側壁３を上部フレーム１に接近させると、はね上げ側壁３に配設された水平軸９が、上部フレーム１の短辺枠１’に配設された軸受け部材６の凹部６ｂ２に収容され、また、はね上げ側壁３に配設された中央部側水平軸９’が、上部フレーム１の短辺枠１’に配設された中央部側軸受け部材６’の凹部６ｂ２に収容されて、はね上げ側壁３と上部フレーム１とがヒンジ連結されることになるが、本発明においては、はね上げ側壁３に配設された水平軸９と上部フレーム１の短辺枠１’に配設された軸受け部材６とが対向するように、また、はね上げ側壁３に配設された中央部側水平軸９’と上部フレーム１の短辺枠１’に配設された中央部側軸受け部材６’とが対向するように、はね上げ側壁３と上部フレーム１とを配置した際には、はね上げ側壁３に配設された係止水平軸ｓ１の先端部が、上部フレーム１の短辺枠１’に配設された係止板ｈ１と部分的に重なり、はね上げ側壁３を上部フレーム１に接近させた際には、はね上げ側壁３に配設された係止水平軸ｓ１の先端部が、上部フレーム１の短辺枠１’に配設された係止板ｈ１に当接するように構成されている。
【００３１】
上述した状態から、更に、はね上げ側壁３を上部フレーム１に接近させて、係止水平軸ｓ１を、係止板ｈ１に強く押し付けると、係止板ｈ１が取着されている支持片５が弾性変形して傾動し、はね上げ側壁３に配設された係止水平軸ｓ１の先端部が、上部フレーム１の短辺枠１’に配設された係止板ｈ１を越えることができるとともに、係止水平軸ｓ１の先端部が、係止板ｈ１を越えた時点で、係止板ｈ１が取着されている支持片５が、その弾性復元力により、元の垂直位置に戻り、従って、係止水平軸ｓ１の先端部が、係止板ｈ１の背後（箱型に組み立てられた折り畳みコンテナーの内側から見て）に位置することになる。このはね上げ側壁３に配設された係止水平軸ｓ１の先端部の、上部フレーム１の短辺枠１’に配設された係止板ｈ１の背後への移動と前後して、上述したように、はね上げ側壁３に配設された水平軸９が、上部フレーム１の短辺枠１’に配設された軸受け部材６の凹部６ｂ２に収容され、また、はね上げ側壁３に配設された中央部側水平軸９’が、上部フレーム１の短辺枠１’に配設された中央部側軸受け部材６’の凹部６ｂ２に収容されて、はね上げ側壁３と上部フレーム１とがヒンジ連結されることになる。
【００３２】
はね上げ側壁３が略水平の状態にある折り畳まれた状態の折り畳みコンテナーの上部フレーム１の短辺枠１’を持って、折り畳まれた折り畳みコンテナーを、略垂直状態で運搬したり、或いは、折り畳まれた状態の折り畳みコンテナーを、略垂直状態で保管するような場合に、略垂直に吊り下げられた状態の一方のはね上げ側壁３に配設された水平軸９には、上部フレーム１の短辺枠１’に配設された軸受け部材６の凹部６ｂ２から抜け出ようとする負荷が加わることになるが、図４に示されているように、略垂直に吊り下げられた状態の一方のはね上げ側壁３に配設された係止水平軸ｓ１の先端部が、上部フレーム１の短辺枠１’に配設された係止板ｈ１に当接するように構成されているので、略垂直に吊り下げられた状態の一方のはね上げ側壁３に配設された水平軸９が、上部フレーム１の短辺枠１’に配設された軸受け部材６の凹部６ｂ２から抜け出るようなことを防止することができる。
【００３３】
また、図５に示されているように、折り畳みコンテナーが箱型に組み立てられて、はね上げ側壁３が略垂直状態においては、はね上げ側壁３に配設された係止水平軸ｓ１に連接されている係止部材ｓ２の係止ブロックｓ２ｂが、上部フレーム１の短辺枠１’に配設された衝合板ｈ２の背後（箱型に組み立てられた折り畳みコンテナーの内側から見て）に位置するように構成されている。従って、略垂直状態のはね上げ側壁３の上部に、外側から負荷が加わった際には、はね上げ側壁３に配設された係止部材ｓ２の係止ブロックｓ２ｂが、上部フレーム１の短辺枠１’に配設された衝合板ｈ２に当接することになるので、はね上げ側壁３の内側方向への移動が阻止され、従って、上部フレーム１の軸受け部材６の凹部６ｂ２から、はね上げ側壁３の水平軸９が外れるようなことを阻止することができる。
【００３４】
なお、折り畳みコンテナーが箱型に組み立てられて、はね上げ側壁３が略垂直状態においては、はね上げ側壁３に配設された、係止水平軸ｓ１が取着されている板片３ｂ’が、上部フレーム１の短辺枠１’に配設された衝合板ｈ２に形成されている嵌合切り欠き部ｈ２ａに、部分的に嵌合され、はね上げ側壁３の水平方向への回動が阻止されないように構成されている。
【００３５】
更に、上部フレーム１の短辺枠１’を構成する内側壁部１ｃの両端部付近には、内側壁部１ｃを下方に延在することにより、垂下板ｇ１が形成されており、垂下板ｇ１の高さ（内側壁部１ｃの下端から垂下板ｇ１の下端までの距離）は、上部フレーム１の短辺枠１’を構成する内側壁部１ｃを下方に延在することにより形成された衝合板ｈ２の高さ（内側壁部１ｃの下端から停止板ｇ１の下端までの距離）と略同じに形成されている。一方、はね上げ側壁３の上端フランジ３ａの両端部付近には、略逆Ｊ字状で、且つ、箱型に組み立てられた折り畳みコンテナーの内部方向が開口された端部壁３ｃ’が形成されている。
【００３６】
はね上げ側壁３が箱型に組み立てられた際には、上部フレーム１の短辺枠１’を構成する内側壁部１ｃに垂設された垂下板ｇ１の内面（上部フレーム１の外側壁部１ａと対向する面）が、端部壁３ｃ’の上端３ｃ”に当接或いは実質的に当接するように構成されている。従って、折り畳みコンテナーが箱型に組み立てられ、略垂直状態のはね上げ側壁３の上部に、外側から負荷が加わった際には、はね上げ側壁３の上端フランジ３ａの両端部付近に形成された端部壁３ｃ’の上端３ｃ”が、上部フレーム１の短辺枠１’を構成する内側壁部１ｃの両端部付近に形成された垂下板ｇ１に当接することになるので、はね上げ側壁３の内側方向への移動が阻止され、従って、上部フレーム１の軸受け部材６の凹部６ｂ２から、はね上げ側壁３の水平軸９が外れるようなことを阻止することができる。
【００３７】
上述したように、はね上げ側壁３の上端フランジ３ａの上面に立設された板片３ｂ’に、係止水平軸ｓ１を取着するとともに、上部フレーム１の短辺枠１’に、係止板ｈ１を配設し、はね上げ側壁３に配設された上記の係止水平軸ｓ１の先端部が、上部フレーム１の短辺枠１’に配設された上記の係止板ｈ１の背後に位置するように構成されているので、折り畳まれた折り畳みコンテナーの略垂直に吊り下げられた状態の一方のはね上げ側壁３に配設された、はね上げ側壁３と上部フレーム１とのヒンジ手段の一方のヒンジ部材を構成する水平軸９が、上部フレーム１の短辺枠１’に配設された、はね上げ側壁３と上部フレーム１とのヒンジ手段のもう一方のヒンジ部材を構成する軸受け部材６の凹部６ｂ２から抜け出るようなことを防止することができ、従って、略垂直に吊り下げられた状態の一方のはね上げ側壁３が、上部フレーム１の短辺枠１’から外れるようなことを防止することができる。
【００３８】
また、折り畳みコンテナーが箱型に組み立てられて、はね上げ側壁４が略垂直状態においては、はね上げ側壁３に配設された係止水平軸ｓ１の先端部が、上部フレーム１の短辺枠１’に配設された係止板ｈ１の背後に位置するように構成されているので、略垂直状態のはね上げ側壁３の上部に、外側から負荷が加わった際には、はね上げ側壁３に配設された上記の係止水平軸ｓ１が、上部フレーム１の短辺枠１’に配設された上記の係止板ｈ１に当接することになるので、はね上げ側壁３の内側方向への移動が阻止され、従って、はね上げ側壁３と上部フレーム１とのヒンジ手段の一方のヒンジ部材を構成する、はね上げ側壁３に配設された水平軸９が、はね上げ側壁３と上部フレーム１とのヒンジ手段のもう一方のヒンジ部材を構成する、上部フレーム１の短辺枠１’に配設された軸受け部材６の凹部６ｂ２から抜け出るようなことを防止することができるとともに、ヒンジ連結を構成する軸受け部材６や水平軸９の損傷を防止することができる。
【００３９】
更に、はね上げ側壁３に配設された係止水平軸ｓ１に、係止部材ｓ２を連接するとともに、上部フレーム１の短辺枠１’に、衝合板ｈ２を配設し、はね上げ側壁４が略垂直状態においては、はね上げ側壁３に配設された上記の係止部材ｓ２が、上部フレーム１の短辺枠１’に配設された上記の衝合板ｈ２の背後に位置するように構成されているので、略垂直状態のはね上げ側壁３の上部に、外側から負荷が加わった際には、はね上げ側壁３に配設された上記の係止部材ｓ２が、上部フレーム１の短辺枠１’に配設された上記の衝合板ｈ２に当接することになるので、はね上げ側壁３の内側方向への移動が阻止され、従って、はね上げ側壁３と上部フレーム１とのヒンジ手段の一方のヒンジ部材を構成する、はね上げ側壁３に配設された水平軸９が、はね上げ側壁３と上部フレーム１とのヒンジ手段のもう一方のヒンジ部材を構成する、上部フレーム１の短辺枠１’に配設された軸受け部材６の凹部６ｂ２から抜け出るようなことを防止することができるとともに、ヒンジ連結を構成する軸受け部材６や水平軸９の損傷を防止することができる。
【００４０】
図６に示されている実施例は、折り畳みコンテナーが折り畳まれた状態において、上部フレーム１の短辺枠１’に形成された係止板ｈ１と対向するはね上げ側壁３に配設された係止水平軸ｓ１の面を、略平面ｓ１’に形成したものである。このように構成することにより、折り畳みコンテナーが折り畳まれた状態においては、上部フレーム１の短辺枠１’に形成された係止板ｈ１とはね上げ側壁３に配設された係止水平軸ｓ１の略平面ｓ１’とが面接触することになり、従って、略垂直に吊り下げられた状態の一方のはね上げ側壁３が、上部フレーム１の短辺枠１’から外れるようなことを、確実に防止することができる。
【図面の簡単な説明】
【００４１】
【図１】図１は、本発明の折り畳みコンテナーを構成する上部フレームとはね上げ側壁の要部斜視図である。
【図２】図２は、本発明の折り畳みコンテナーを構成する上部フレームとはね上げ側壁の部分拡大斜視図である。
【図３】図３は、ヒンジ連結された状態の本発明の折り畳みコンテナーを構成する上部フレームとはね上げ側壁の部分拡大垂直断面図である。
【図４】図４は、ヒンジ連結された状態の本発明の折り畳みコンテナーを構成する上部フレームとはね上げ側壁の一部断面を含む要部斜視図である。
【図５】図５は、ヒンジ連結された状態の本発明の折り畳みコンテナーを構成する上部フレームとはね上げ側壁の一部断面を含む拡大斜視図である。
【図６】図６は、本発明の折り畳みコンテナーの別の実施例を示す図３と同様の部分拡大垂直断面図である。
【図７】図７は、従来の折り畳みコンテナーが箱型に組み立てられた状態の斜視図である。
【図８】図８は、従来の折り畳みコンテナーの組み立て途中或いは折り畳み途中の斜視図である。
【図９】図９は、従来の折り畳みコンテナーが折り畳まれた状態の斜視図である。
【図１０】図１０は、従来の折り畳みコンテナーを構成する上部フレームとはね上げ側壁の部分分解斜視図である。
【図１１】図１１は、図１０の更に拡大された部分分解斜視図である。
【図１２】図１２は、従来の折り畳みコンテナーが箱型に組み立てられた状態のはね上げ側壁に対して直交する方向の部分垂直断面図である。
【符号の説明】
【００４２】
ｈ１・・・・・・・係止板
ｈ２・・・・・・・衝合板
ｓ１・・・・・・・係止水平軸
ｓ２・・・・・・・係止部材
１・・・・・・・・上部フレーム
２・・・・・・・・底部
３・・・・・・・・はね上げ側壁
４・・・・・・・・分割側壁
４’・・・・・・・上部分割側壁
４”・・・・・・・下部分割側壁
５・・・・・・・・支持片
６・・・・・・・・軸受け部材
９・・・・・・・・水平軸
【図１】
2008018947.tif 000003
【図２】
2008018947.tif 000004
【図３】
2008018947.tif 000005
【図４】
2008018947.tif 000006
【図５】
2008018947.tif 000007
【図６】
2008018947.tif 000008
【図７】
2008018947.tif 000009
【図８】
2008018947.tif 000010
【図９】
2008018947.tif 000011
【図１０】
2008018947.tif 000012
【図１１】
2008018947.tif 000013
【図１２】
2008018947.tif 000014